(57)【要約】【課題】  出力調整が容易にできると共に、出力調整用の部品をモータフレームの外部に配置する必要がないモータを提供する。【解決手段】  モータフレーム１１内に配設された固定子には、主コイル２３，２３と補助コイル２４，２４と、出力調整コイル２５，２５を設け、固定子に装着される端子台にはコンデンサ３８を設ける。端子台に、出力調整コイル２５と接続される電源接続部４８ａを有する調整用接続部材を設ける。交流電源５０の端子を、端子台の電源接続部３５ａ，３７ａに接続した場合には、出力調整コイル２５は無効化され、電源接続部３５ａと調整用接続部材の電源接続部４８ａとに接続した場合には、出力調整コイル２５が有効化される。出力調整コイル２５を有効化するか否かで、出力を調整できる。【選択図】  図１
2005160219.tif 000002
【特許請求の範囲】
【請求項１】
モータフレームと、
このモータフレーム内に設けられ、主コイル及び補助コイルを有すると共に、これら主コイル及び補助コイルと接続された複数の接続ピンを有した固定子と、
前記モータフレーム内において前記固定子に装着され、電源の接続が可能な電源接続部、前記主コイル及び補助コイルに接続されるコンデンサ、及び前記接続ピンに接続される複数のピン接続部を有する端子台と、
前記固定子に設けられた出力調整コイルと、
前記固定子に設けられ、前記出力調整コイルが接続される調整コイル用接続ピンと、
前記端子台に設けられ、前記調整コイル用接続ピンと接続されるピン接続部を有すると共に、電源の接続が可能な電源接続部を有する調整用接続手段とを具備したことを特徴とするモータ。
【請求項２】
調整用接続手段は、端子台とは別部材であることを特徴とする請求項１記載のモータ。
【請求項３】
端子台に、調整コイル用接続ピンの先端部分を包囲する包囲部を設けたことを特徴とする請求項１記載のモータ。
【発明の詳細な説明】
【技術分野】
【０００１】
本発明は、コンデンサ誘導形で、出力調整が可能なモータに関する。
【背景技術】
【０００２】
従来より、例えば換気扇のファン駆動用モータとしては、コンデンサ誘導形のモータが用いられている。図１０及び図１１にはこの種のモータの従来構成を示していて、このうち図１０はモータの外観を示し、図１１は電気回路を示している。図１０において、モータフレーム１の内部に、図示しない固定子及び回転子が設けられていて、モータフレーム１から突出した回転子の回転軸２にファン３が取着されている。上記固定子には、図１１に示すように、主コイル４，４と補助コイル５，５が設けられている。また、モータフレーム１の内部において、その固定子に図示しない端子台が装着されていて、その端子台に、コンデンサ６が設けられている。コンデンサ６は、図１１に示すように接続されている。そして、交流電源７は、端子台に設けられた電源接続部８ａ，８ｂに接続される。
【０００３】
このような構成のモータにおいて、出力を調整する場合には、外部コンデンサ９を、上記コンデンサ６と並列に接続するようにしていた。
なお、本件発明の課題とは直接関係はないが、特許文献１には、モータフレームの外部に端子台を設けると共に、この端子台にコンデンサなどの電子部品を設け、その端子台をカバーで覆う構成とした電動機が示されている。
【特許文献１】特開平３−１１２３４２号公報（第２図参照）
【発明の開示】
【発明が解決しようとする課題】
【０００４】
上記した従来構成のものでは、モータの出力を調整する場合に、モータフレーム１の外部において、外部コンデンサ９を接続するようにしていた。このため、その接続作業が面倒であると共に、モータフレーム１の外部にその外部コンデンサ９を配置するスペースが必要であり、さらには、発火などを考慮してその外部コンデンサ９を覆うカバーを別途必要するという問題があった。
【０００５】
本発明は、上記問題点を解決するためになされたもので、出力調整が容易にできると共に、出力調整用の部品をモータフレームの外部に配置する必要がないモータを提供することを目的とする。
【課題を解決するための手段】
【０００６】
上記の目的を達成するために、本発明のモータは、モータフレームと、このモータフレーム内に設けられ、主コイル及び補助コイルを有すると共に、これら主コイル及び補助コイルと接続された複数の接続ピンを有した固定子と、前記モータフレーム内において前記固定子に装着され、電源の接続が可能な電源接続部、前記主コイル及び補助コイルに接続されるコンデンサ、及び前記接続ピンに接続される複数のピン接続部を有する端子台と、前記固定子に設けられた出力調整コイルと、前記固定子に設けられ、前記出力調整コイルが接続される調整コイル用接続ピンと、前記端子台に設けられ、前記調整コイル用接続ピンと接続されるピン接続部を有すると共に、電源の接続が可能な電源接続部を有する調整用接続手段とを具備したことを特徴とする。
【０００７】
上記した構成において、調整用接続手段の電源接続部は用いずに、端子台の電源接続部のみを用いて電源を供給する構成とした場合には、出力調整コイルは無効化される。これに対して、端子台の電源接続部と調整用接続手段の電源接続部とを用いて電源を供給する構成とした場合には、出力調整コイルが有効化される。従って、出力調整コイルを有効化するか無効化するかで、出力を調整することができる。
【発明の効果】
【０００８】
本発明によれば、調整用接続手段の電源接続部は用いずに、端子台の電源接続部のみを用いて電源を供給する場合と、端子台の電源接続部と調整用接続手段の電源接続部とを用いて電源を供給する場合とで、出力調整コイルを有効化するか無効化するかの使い分けができ、モータフレームの外部で部品の接続作業が必要な従来とは違い、モータの出力を容易に調整することができるようになる。そして、出力調整用の部品である出力調整コイルは、モータフレーム内の固定子に予め設けておくので、モータフレームの外部に出力調整用の部品を配置するスペースを設ける必要がないと共に、その部品を覆うカバーを設ける必要もない。
【発明を実施するための最良の形態】
【０００９】
以下、本発明の第１の実施形態について図１ないし図８を参照して説明する。まず、図２には、例えば換気扇のファン駆動用モータの全体の概略構成が示されている。この図２において、モータフレーム１１は、それぞれ容器状をなす第１のフレーム１２と第２のフレーム１３とを組み合わせて構成されている。このモータフレーム１１の内部には、固定子１４が配設されていると共に、この固定子１４の上面側に位置させて端子台１５が装着されている。固定子１４の中央部には回転子１６が配設されていて、この回転子１６の回転軸１７が、第１及び第２のフレーム１２，１３に設けられた軸受１８，１９を介して回転可能に設けられている。回転軸１７の下端部は、第１のフレーム１２から下方へ突出している。第２のフレーム１３の側壁部には、電源接続用の開口部２０が形成されている。
【００１０】
上記固定子１４は、図３に示すように、モータフレーム１１の内周部に固定状態に設けられる固定子鉄心２１と、この固定子鉄心２１に合成樹脂製の絶縁部材２２を介して装着されたコイルとから構成されている。このうちコイルには、図３中、左右に対向配置された２個の絶縁部材２２に巻装された主コイル２３，２３と、上下に対向配置された２個の絶縁部材２２に巻装された補助コイル２４，２４とがあり、主コイル２３，２３の外側に出力調整コイル２５，２５が巻装されている（図１参照）。４つの絶縁部材２２のうち３個の絶縁部材２２には、それぞれ接続ピン２６〜２８が立設されていると共に、図３中右側の絶縁部材２２には、調整コイル用接続ピン２９も立設されている。
【００１１】
図３中、右側の接続ピン２６には、図１に示すように、主コイル２３の一端部と補助コイル２４の一端部とが接続され、左側の接続ピン２７には、主コイル２３の一端部と出力調整コイル２５の一端部が接続され、上側の接続ピン２８には、補助コイル２４の一端部が接続され、調整コイル用接続ピン２９には、出力調整コイル２５の一端部が接続されている。なお、調整コイル用接続ピン２９は、図６に示すように、他の接続ピン２６〜２８に比べて突出寸法が短く設定されている。固定子鉄心２１の中央部には、回転子１６が挿入される円形孔３０が形成されている。
【００１２】
上記固定子１４の上面側に装着された端子台１５は、図４に示すように、絶縁性を有する合成樹脂製の端子台主部３１を有していて、中央部に、回転子１６が挿通される円形孔３２が形成されている。この端子台１５には、コネクタ部３３とコンデンサ搭載部３４とが設けられていると共に、第１〜第３の接続導体３５〜３７が埋設状態に設けられている。コネクタ部３３には、第１〜第３の接続導体３５〜３７における一端部の電源接続部３５ａ〜３７ａが露出する状態で配置されている。コンデンサ搭載部３４にはコンデンサ３８が埋設状態で設けられていて、このコンデンサ３８の両接続端子は、第２及び第３の接続導体３６，３７のコンデンサ接続部３９，４０に接続されている。
【００１３】
第１〜第３の接続導体３５〜３７の各他端部は端子台主部３１から露出していて、そこをそれぞれピン接続部４１〜４３としている。各ピン接続部４１〜４３には、接続ピン挿入用のピン挿入孔４１ａ〜４３ａが形成されている。端子台１５を固定子１４の上面側に装着した状態で、各ピン接続部４１〜４３のピン挿入孔４１ａ〜４３ａに、対応する上記３本の接続ピン２６〜２８の先端部が挿入されていて、各接続ピン２６〜２８は、対応するピン接続部４１〜４３と電気的に接続されるようになっている。端子台１５の下面側には、図６に示すように、上記調整コイル用接続ピン２９に対応して短筒状の包囲部４４が設けられていて、この包囲部４４が、調整コイル用接続ピン２９の先端部分を包囲するようになっている。
【００１４】
そして、上記端子台１５の、図４中右側には、調整用接続手段を構成する調整用接続部材４５が配置されている。この調整用接続部材４５の主部４６は、絶縁性を有する合成樹脂製で、図７に示すようにほぼＬ字形に形成されている。この調整用接続部材４５には、コネクタ部４７が設けられていると共に、１本の接続導体４８が埋設状態に設けられ、さらに、コネクタ部４７の外面に一対の係合爪４９が設けられていて、図５に示すように、これら一対の係合爪４９を介して端子台１５のコネクタ部３３に着脱可能に取り付けられている。コネクタ部４７には、接続導体４８における一端部の電源接続部４８ａが露出する状態で配置されている。接続導体４８の他端部には、図７及び図８に示すようにピン接続部４８ｂが折曲形成されていて、このピン接続部４８ｂを、上記調整コイル用接続ピン２９に嵌合させることにより接続している。
【００１５】
端子台１５のコネクタ部３３及び調整用接続部材４５のコネクタ部４７は、モータフレーム１１の開口部２０（図２参照）に臨んでいて、これらコネクタ部３３，４７の電源接続部３５ａ〜３７ａ、及び４８ａに、その開口部２０を通して交流電源５０（図１）のコネクタ（図示せず）を接続することが可能な構成となっている。
上記構成において、モータに電源を供給する場合に、交流電源５０に接続されるコネクタにおける２個の端子を、図１に実線で示すように、端子台１５のコネクタ部３３における２本の電源接続部３５ａ，３７ａに接続した場合には、出力調整コイル２５，２５は無効化され、出力調整コイル２５，２５を用いない状態でのモータ出力となる。
【００１６】
これに対して、交流電源５０に接続されるコネクタにおける２個の端子を、図１に二点鎖線で示すように、端子台１５のコネクタ部３３における電源接続部３５ａと、調整用接続部材４５のコネクタ部４７における電源接続部４８ａとに接続した場合には、出力調整コイル２５，２５が有効化され、出力調整コイル２５，２５を用いた状態でのモータ出力となる。従って、出力調整コイル２５，２５を有効化するか無効化するかで、モータ出力を調整することができる。
【００１７】
上記した第１の実施形態においては、調整用接続部材４５の電源接続部４８ａは用いずに、端子台１５の電源接続部３５ａ，３７ａのみを用いて電源を供給する場合と、端子台１５の電源接続部３５ａと調整用接続部材４５の電源接続部４８aとを用いて電源を供給する場合とで、出力調整コイル２５，２５を有効化するか無効化するかの使い分けができ、モータフレームの外部で部品の接続作業が必要な従来とは違い、モータの出力を容易に調整することができるようになる。そして、出力調整用の部品である出力調整コイル２５，２５は、モータフレーム１１内の固定子１４に予め設けておくので、モータフレーム１１の外部に出力調整用の部品を配置するスペースを設ける必要がないと共に、その部品を覆うカバーを設ける必要もない。
【００１８】
調整用接続部材４５は、端子台１５とは別部材にて構成しているので、出力調整コイル２５，２５を使わない仕様の場合には、その調整用接続部材４５を外しておくことができる。また、調整用接続部材４５は、端子台１５に対し一対の係合爪４９を介して着脱可能に取り付ける構成としているので、端子台１５に対する着脱が容易にできる。
端子台１５の下面側に、調整コイル用接続ピン２９の先端部分を包囲する包囲部４４を設けているので、その包囲部４４により、調整コイル用接続ピン２９の位置決めができると共に、当該調整コイル用接続ピン２９が倒れることを防止できる。
【００１９】
図９は本発明の第２の実施形態を示したものであり、この第２の実施形態は上記した第１の実施形態とは次の点が異なっている。すなわち、出力調整コイル２５，２５の一端部は、接続ピン２７に代えて、接続ピン２６に接続した構成としている。
この構成において、モータに電源を供給する場合に、交流電源５０に接続されるコネクタにおける２個の端子を、図９に実線で示すように、端子台１５の２本の電源接続部３５ａ，３７ａに接続した場合には、出力調整コイル２５，２５は無効化され、出力調整コイル２５，２５を用いない状態でのモータ出力となる。これに対して、交流電源５０に接続されるコネクタにおける２個の端子を、図９に二点鎖線で示すように、端子台１５の電源接続部３７ａと、調整用接続部材４５の電源接続部４８ａとに接続した場合には、出力調整コイル２５，２５が有効化され、出力調整コイル２５，２５を用いた状態でのモータ出力となる。従ってこの場合も、出力調整コイル２５，２５を有効化するか無効化するかで、モータ出力を調整することができる。
【００２０】
このような構成とした第２の実施形態においても、第１の実施形態と同様な作用効果を得ることができる。
本発明は、上記した各実施形態にのみ限定されるものではなく、次のように変形または拡張できる。
調整用接続手段は、端子台１５に一体的に設ける構成とすることもできる。
出力調整コイル２５は、補助コイル２４側に巻装しても良い。
【図面の簡単な説明】
【００２１】
【図１】本発明の第１の実施形態を示す電気回路図
【図２】モータ全体の断面図
【図３】固定子の平面図
【図４】一部を破断して示す端子台及び調整用接続部材の平面図
【図５】図４において矢印Ａ１方向から見た要部の正面図
【図６】固定子と端子台とを組み合わせた状態で、図４の矢印Ａ２方向から見た要部の側面図
【図７】調整用接続部材の斜視図
【図８】接続導体の斜視図
【図９】本発明の第２の実施形態を示す図１相当図
【図１０】従来例を示すモータの破断側面図
【図１１】電気回路図
【符号の説明】
【００２２】
図面中、１１はモータフレーム、１４は固定子、１５は端子台、１６は回転子、２１は固定子鉄心、２３は主コイル、２４は補助コイル、２５は出力調整コイル、２６，２７，２８は接続ピン、２９は調整コイル用接続ピン、３５，３６，３７は第１、第２、第３の接続導体、３５ａ，３６ａ，３７ａは電源接続部、３８はコンデンサ、４１，４２，４３はピン接続部、４４は包囲部、４５は調整用接続部材（調整用接続手段）、４８は接続導体、４８ａは電源接続部、４８ｂはピン接続部、５０は交流電源を示す。
【図１】
2005160219.tif 000003
【図２】
2005160219.tif 000004
【図３】
2005160219.tif 000005
【図４】
2005160219.tif 000006
【図５】
2005160219.tif 000007
【図６】
2005160219.tif 000008
【図７】
2005160219.tif 000009
【図８】
2005160219.tif 000010
【図９】
2005160219.tif 000011
【図１０】
2005160219.tif 000012
【図１１】
2005160219.tif 000013